【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
内腔を有するハウジングと、
前記ハウジングの前記内腔内で平行移動可能なフェルールと、
前記ハウジングの前記内腔内に装着され、前記フェルールの平行移動を検知するように構成されたセンサであって、前記センサの電気的特性が、所定の位置への前記フェルールの平行移動を示すように変化する、センサとを備える、コネクタ組立体。
【請求項２】
前記センサは、前記プローブが前記フェルールとの接触の間、前記フェルールとともに平行移動するように、前記フェルールの平行移動の間、前記フェルールに接触するように構成されたプローブを含み、
前記センサの前記電気的特性は、前記プローブの前記平行移動に応じて前記フェルールが前記所定の位置まで平行移動したことを示すように変化する、請求項１に記載のコネクタ組立体。
【請求項３】
前記センサは、圧力または変位センサである、請求項１または請求項２に記載のコネクタ組立体。
【請求項４】
前記フェルールに当接した弾性素子をさらに備え、前記センサが、前記フェルールの平行移動の間、前記弾性素子の長さの変化を検知する、請求項１に記載のコネクタ組立体。
【請求項５】
前記フェルール中を通過する一部分を有する光ファイバをさらに備え、前記フェルールが、通過する前記光ファイバの前記一部分の位置を維持する、請求項１ないし請求項４のいずれか一項に記載のコネクタ組立体。
【請求項６】
ケーブルの長さに沿って位置決めされた第２のセンサを含む前記ケーブルをさらに備え、前記第２のセンサの電気的特性が、上に前記第２のセンサが位置する前記ケーブルの表面が変形したとき変化する、請求項１ないし請求項５のいずれか一項に記載のコネクタ組立体。
【請求項７】
警告信号が、前記第２のセンサの電気的特性の変化に対応する電気信号が遠隔電子デバイスに伝導され、少なくとも最小値を有するとき、前記遠隔電子デバイスによって生成される、請求項６に記載のコネクタ組立体。
【請求項８】
前記センサが、
前記ハウジングに装着された第１の導電性接点と、
前記フェルールに装着された第２の導電性接点とを備え、
前記フェルールが平行移動の第１の位置にあるとき、前記第２の導電性接点が、前記第１の接点と導電結合され、前記フェルールが平行移動の第２の位置にあるとき、前記第２の導電性接点が前記第１の接点と導電結合されない、請求項１に記載のコネクタ組立体。
【請求項９】
制御信号を周辺構成要素に提供するように構成された回路と、
請求項８に記載のコネクタ組立体であって、前記第１の接点と前記第２の接点とが導電結合されたとき、前記回路が前記制御信号を前記周辺構成要素に提供することを停止するように、前記第２の接点が、前記フェルールの端部上に装着される、コネクタ組立体とを備える、システム。
【請求項１０】
制御信号を周辺構成要素に提供するように構成された回路と、
請求項８に記載のコネクタ組立体であって、前記第１の接点と第２の接点とが導電結合されたとき、前記回路が前記制御信号を前記周辺構成要素に提供するように、前記第２の接点が、前記フェルールの端部上に装着される、コネクタ組立体とを備える、システム。
【請求項１１】
アダプタと、
前記アダプタによって受け、内腔を有するハウジングと、
前記ハウジングの前記内腔内で平行移動可能なフェルールと、
前記ハウジング上または前記アダプタ上に装着されたセンサであって、前記フェルールの平行移動を検知するように構成され、センサの電気的特性が、前記フェルールの所定の位置までの平行移動を示すように変化する、センサとを備える、コネクタ組立体。
【請求項１２】
（ｉ）前記センサを前記ハウジング上に装着したとき前記アダプタに対して、または（ｉｉ）前記センサを前記アダプタ上に装着したとき前記ハウジングとともにプローブが平行移動するように、前記センサが、（ｉ）前記センサを前記ハウジング上に装着したとき前記アダプタに、または（ｉｉ）前記センサを前記アダプタ上に装着したとき前記ハウジングに接触するように構成された前記プローブを含み、前記センサの前記電気的特性が、前記プローブの平行移動に応じて前記フェルールが前記所定の位置まで平行移動したことを示すように変化する、請求項１１に記載のコネクタ組立体。
【請求項１３】
前記センサが、変位センサまたは圧力センサである、請求項１１または請求項１２に記載のコネクタ組立体。
【請求項１４】
前記ハウジングから延びる突起をさらに備え、（ｉ）前記センサを前記ハウジング上に装着するとき前記センサが前記突起上に装着され、または（ｉｉ）前記センサを前記アダプタ上に装着するとき前記プローブが前記突起に接触するように構成される、請求項１１に記載のコネクタ組立体。
【請求項１５】
前記ハウジングが、本体と前記本体から延びる突起とを含み、前記センサが、前記本体と前記本体および前記突起のいずれかの上の前記突起との間に装着され、（ａ）前記センサを前記本体上に装着したとき前記突起とともに、または（ｂ）前記センサを前記突起上に装着したとき前記本体に対して、前記プローブが平行移動するように、前記センサが、（ｉ）前記センサを本体上に装着するとき前記突起、または（ｉｉ）前記センサを前記突起上に装着するとき前記本体に接触するように構成されたプローブを含み、前記センサの前記電気的特性が、前記プローブの前記平行移動に応じて前記フェルールが前記所定の位置まで平行移動したことを示すように変化する、１１に記載のコネクタ組立体。
【請求項１６】
前記ハウジングから延びる突起をさらに備え、（ｉ）前記センサを前記ハウジング上に装着するとき前記センサが前記突起上に装着され、または（ｉｉ）前記センサを前記アダプタ上に装着するとき前記センサが前記突起に接触するように構成され、前記フェルールの最小距離の平行移動の間、（ｉ）前記センサを前記ハウジング上に装着したとき前記センサが前記アダプタからの力によって押圧され、または（ｉｉ）前記センサを前記アダプタ上に装着したとき前記突起が前記センサに対して力によって押圧され、前記センサの前記電気的特性が、前記センサに作用する前記力に応じて前記所定の位置まで前記フェルールが平行移動したことを示すように変化する、請求項１１に記載のコネクタ組立体。
【請求項１７】
前記ハウジングが、本体と前記本体から延びる突起とを含み、前記センサが、前記本体と前記本体および前記突起のいずれかの上の前記突起との間に装着され、（ｉ）前記センサを前記突起上に装着するとき前記センサが前記本体に接触するように構成され、または（ｉｉ）前記センサを前記本体上に装着するとき前記センサが前記突起に接触するように構成され、前記フェルールの最小距離の平行移動の間、（ｉ）前記センサを前記突起上に装着したとき前記センサが前記本体に対して力によって押圧され、または（ｉｉ）前記センサを前記本体上に装着したとき前記突起が前記センサに対して力によって押圧され、前記センサの前記電気的特性が、前記センサに作用する前記力に応じて前記フェルールが前記所定の位置まで平行移動したことを示すように変化する、請求項１１に記載のコネクタ組立体。
【請求項１８】
前記突起が、前記センサが前記本体上にあるとき、前記本体に蝶番式に接続される、請求項１５または請求項１７に記載のコネクタ組立体。
【請求項１９】
前記突起が前記本体と一体である、請求項１５または請求項１７に記載のコネクタ組立体。